(57)【特許請求の範囲】
【請求項１】
発光部と、基部と、該基部の一方面に設けられた接点リードと、を有するバルブを保持するバルブソケットであって、
前記バルブの基部を受け入れる挿入孔を有したソケット本体と、
前記ソケット本体に取り付けられて前記接点リードと電気的に接続される端子金具と、を備え、
前記端子金具は、前記ソケット本体に固定される固定部と、該固定部から延びる一対の端子部と、を有し、該一対の端子部は、前記挿入孔に挿入される前記基部の一方面に沿う第一端子部と、前記基部の一方面の反対側に位置する他方面に沿う第二端子部と、からなり、前記一方面と前記他方面との中心平面を挟んで互いに対向して設けられ、
前記第一端子部及び前記第二端子部は、それぞれ前記基部を挟持する方向への付勢力を生じさせるばね部と、該ばね部の先端側に設けられる接点部と、を有し、各々の前記ばね部及び前記接点部が互いに対向する面対称形状に形成され、前記第一端子部の前記接点部が前記接点リードに当接可能に設けられ、前記第二端子部の前記接点部が前記基部の他方面に当接可能に設けられ、
前記バルブが挿入されずに前記ばね部が弾性変形していない自然状態において、前記一対の端子部は、前記中心平面から一方側に偏心して形成され、この偏心距離が、前記基部における前記一方面から前記接点リードが突出した突出寸法Ｒ未満に設定されていることを特徴とするバルブソケット。
【請求項２】
前記自然状態において、前記中心平面に対する前記一対の端子部の偏心距離は、前記接点リードの突出寸法の１／２に設定されていることを特徴とする請求項１に記載のバルブソケット。
【請求項３】
前記バルブの基部は、前記中心平面における該基部の中心軸に対して互いに対称に設けられた第一面と第二面とを有し、該第一面及び第二面のそれぞれに前記接点リードが設けられ、
前記端子金具は、前記第一面に設けられる接点リードに当接可能な第一端子金具と、前記第二面に設けられる接点リードに当接可能な第二端子金具と、の一対で構成されていることを特徴とする請求項１又は２に記載のバルブソケット。
【請求項４】
請求項１〜３のいずれか一項に記載のバルブソケットと、
前記バルブソケットに保持されるバルブと、
前記バルブソケット及び前記バルブを覆う保護カバーと、
前記バルブソケット及び前記保護カバーに固定されるとともに前記バルブの発光部からの光を透過させる透過レンズと、を備えたことを特徴とする照明装置。
【発明の詳細な説明】
【技術分野】
【０００１】
本発明は、バルブを保持するバルブソケット及び照明装置に関するものである。
【背景技術】
【０００２】
自動車等の車両の天井部分に設けられる車載用室内照明装置などにおいて、例えば、ウェッジベースバルブ等のバルブを装着するための樹脂製のソケット本体と、このソケット本体に設けられた一対の給電端子（端子金具）と、を備え、ソケット本体の装着孔にバルブのベース部（基部）を挿入し、ベース部を一対の給電端子に挟持させるバルブソケット構造が提案されている（例えば、特許文献１参照）。特許文献１記載のバルブソケット構造において、図８に示すように、一対の給電端子１０１は、バルブ１１０のベース部１１１を挟持する一対の挟持片１０２を有して構成され、それらの間にベース部１１１を挿入することで一対の挟持片１０２が互いに離隔する方向に弾性変形し、この変形に伴う付勢力によってベース部１１１を挟持することにより、バルブ１１０がソケット１００に保持されるようになっている。
【先行技術文献】
【特許文献】
【０００３】
【特許文献１】特開２００９−１７３１６３号公報
【発明の概要】
【発明が解決しようとする課題】
【０００４】
しかしながら、特許文献１に記載されたような従来のバルブソケットにおいて、ウェッジベースバルブのように、その基部１１１の側面に沿って接点リード１１２が設けられたバルブ１１０を保持する場合、基部１１１を挟持する一対の挟持片１０２のうち、接点リード１１２に当接して給電端子１０１とバルブ１１０とを電気的に接続させる側の挟持片１０２と、バルブの基部１１１側面に当接する側の挟持片１０２とで、弾性変形量が異なることがある。このように一対の挟持片１０２において弾性変形量が異なると、挟持片１０２ごとに作用するストレスに差異が生じることから、長期間バルブ１１０を挟持し続けたりバルブ１１０の交換を繰り返したりするうちに、変形量が大きい側の挟持片１０２に所謂へたりが起きやすくなる。このため、バルブの保持力が低下して、保持したバルブががたついたり、脱落しやすくなったりなどの不具合が懸念されることとなる。
【０００５】
したがって、本発明は、バルブの保持力低下を抑制することができるバルブソケット及び照明装置を提供することを目的とする。
【課題を解決するための手段】
【０００６】
上記目的を達成するために請求項１に記載のバルブソケットは、発光部と、基部と、該基部の一方面に設けられた接点リードと、を有するバルブを保持するバルブソケットであって、前記バルブの基部を受け入れる挿入孔を有したソケット本体と、前記ソケット本体に取り付けられて前記接点リードと電気的に接続される端子金具と、を備え、前記端子金具は、前記ソケット本体に固定される固定部と、該固定部から延びる一対の端子部と、を有し、該一対の端子部は、前記挿入孔に挿入される前記基部の一方面に沿う第一端子部と、前記基部の一方面の反対側に位置する他方面に沿う第二端子部と、からなり、前記一方面と前記他方面との中心平面を挟んで互いに対向して設けられ、前記第一端子部及び前記第二端子部は、それぞれ前記基部を挟持する方向への付勢力を生じさせるばね部と、該ばね部の先端側に設けられる接点部と、を有し、各々の前記ばね部及び前記接点部が互いに対向する面対称形状に形成され、前記第一端子部の前記接点部が前記接点リードに当接可能に設けられ、前記第二端子部の前記接点部が前記基部の他方面に当接可能に設けられ、前記バルブが挿入されずに前記ばね部が弾性変形していない自然状態において、前記一対の端子部は、前記中心平面から一方側に偏心して形成され、この偏心距離が、前記基部における前記一方面から前記接点リードが突出した突出寸法未満に設定されていることを特徴とする。
【０００７】
請求項２に記載のバルブソケットは、請求項１に記載されたバルブソケットにおいて、前記自然状態において、前記中心平面に対する前記一対の端子部の偏心距離は、前記接点リードの突出寸法の１／２に設定されていることを特徴とする。
【０００８】
請求項３に記載のバルブソケットは、請求項１又は２に記載されたバルブソケットにおいて、前記バルブの基部は、前記中心平面における該基部の中心軸に対して互いに対称に設けられた第一面と第二面とを有し、該第一面及び第二面のそれぞれに前記接点リードが設けられ、前記端子金具は、前記第一面に設けられる接点リードに当接可能な第一端子金具と、前記第二面に設けられる接点リードに当接可能な第二端子金具と、の一対で構成されていることを特徴とする。
【０００９】
請求項４に記載の照明装置は、請求項１〜３のいずれか一項に記載のバルブソケットと、前記バルブソケットに保持されるバルブと、前記バルブソケット及び前記バルブを覆う保護カバーと、前記バルブソケット及び前記保護カバーに固定されるとともに前記バルブの発光部からの光を透過させる透過レンズと、を備えたことを特徴とする。
【発明の効果】
【００１０】
請求項１に記載された発明によれば、自然状態における一対の端子部が一方側に偏心して形成され、その偏心距離が接点リードの突出寸法未満に設定されているので、この自然状態からバルブを保持した保持状態（一対の接点部で基部を挟持した状態）までの間に、一対のばね部の弾性変形量を均等化させることができる。即ち、自然状態において予め端子部が一方側に偏心していることから、接点リードに当接する第一端子部の接点部が自然状態から保持状態まで移動する移動距離と、基部の他方面に当接する第二端子部の接点部の移動距離とが均等になるように、端子部の偏心距離を設定しておけばよい。このように一対の端子部を偏心させることで、第一及び第二の端子部におけるばね部や接点部の形状や寸法を互いに相違させなくてもよいことから、弾性変形量が均等化された一対のばね部における付勢力（ストレス）も均等化することができる。従って、各端子部において、ばね部が不均等にへたることが防止でき、バルブの保持力低下を抑制することができる。
【００１１】
請求項２に記載された発明によれば、自然状態における一対の端子部の偏心距離が接点リードの突出寸法の１／２に設定されている、即ち、第一端子部の接点部が第二端子部の接点部よりも接点リードの突出寸法の分だけ中心平面から離れて位置することから、保持状態までの各接点部の移動距離が等しくなり、各端子部におけるばね部の弾性変形量を均等にすることができる。
【００１２】
請求項３に記載された発明によれば、基部の中心軸に対して互いに対称な第一面と第二面とにそれぞれ接点リードとが設けられたバルブを用いる場合に、各接点リードにそれぞれ接続される第一端子金具と第二端子金具とを設けたことで、第一端子金具と第二端子金具とが中心軸に対して対称に配置されることから、これら端子金具を共通形態の部品で構成することができる。
【００１３】
請求項４に記載された発明によれば、前述のバルブソケットと同様に、照明装置において、端子部のばね部の弾性変形量及びストレスを均等化することができる。従って、バルブの保持力低下を抑制することができ、バルブのがたつきや脱落が防止できるとともに、端子金具とバルブとの電気的接続を良好に維持できることで、バルブの点灯不良の発生なども抑制することができる。また、バルブを保持したバルブソケットを保護カバーで覆うことで、バルブに対して外力が作用しにくくでき、ばね部への過度なストレスを抑制することができる。
【図面の簡単な説明】
【００１４】
【図１】本発明の一実施の形態に係る照明装置を示す分解斜視図である。
【図２】前記照明装置に用いられるバルブを示す斜視図である。
【図３】前記バルブを示す三面図である。
【図４】前記照明装置のバルブソケットを示す正面図である。
【図５】前記バルブソケットに設けられる端子金具を示す斜視図である。
【図６】前記端子金具を示す側面図である。
【図７】前記端子金具におけるバルブの保持状態を示す部分断面図である。
【図８】従来技術に係る照明装置を示す分解斜視図である。
【発明を実施するための形態】
【００１５】
以下、本発明の一実施形態にかかる照明装置を、図１ないし図７に基づいて説明する。本実施形態に係る照明装置１は、自動車等の車両における乗員室内の表面に配置されるルーフトリムやドアトリムなどに取り付けられる室内照明装置であって、特に、ドアトリムの設けられるドアカーテシランプとして好適である。照明装置１は、図１に示すように、バルブ（電球）２と、このバルブ２を保持するバルブソケット３と、バルブ２及びバルブソケット３を覆う保護カバー４と、バルブソケット３及び保護カバー４に固定されてバルブ２から照射される光を透過させる透過レンズ５と、を備えて構成されている。
【００１６】
バルブ２は、図２，３にも示すように、内部にフィラメント等を有する発光部２１と、この発光部２１の軸方向に連続して口金として機能する基部２２と、この基部２２の側面に沿って設けられた一対の接点リード２３と、を備えたウェッジベースバルブである。基部２２は、絶縁性を有する樹脂部品であって、発光部２１の基端部中央から延びる円柱部２４と、この円柱部２４から径方向の互いに反対向きに延びる一対の平板部２５，２６と、を有して形成されている。
【００１７】
円柱部２４は、バルブソケット３に対するバルブ２の挿入方向（図３のＸ方向）に沿って延び、この挿入方向に沿った円柱部２４の中心軸Ｃに対して基部２２が線対称に形成されている。即ち、基部２２は、円柱部２４の中心軸Ｃに対して、平板部２５，２６の延出方向（図３のＹ方向）と、平板部２５，２６の厚さ方向（図３のＺ方向）と、の両方向に関してそれぞれ左右対称に形成されている。また、各平板部２５，２６の挿入方向中間位置には、延出方向に沿って凹溝状に凹んだ溝部２５Ａ，２６Ａが形成されている。なお、以下では、バルブ２の挿入方向を単にＸ方向と記す場合があり、平板部２５，２６の延出方向を単にＹ方向と記す場合があり、平板部２５，２６の厚さ方向を単にＺ方向と記す場合がある。
【００１８】
また、本実施形態における基部２２の一方側及び他方側とは、Ｚ方向に沿った互いに逆向きの側を意味するとともに、平板部２５において接点リード２３が設けられる一方面であり第一面としての側面２５Ｂと、平板部２６において接点リード２３が設けられる一方面であり第二面としての側面２６Ｂとは、中心軸Ｃに対して互いに線対称に設けられている。従って、平板部２５における側面２５Ｂと反対側に位置する他方面としての側面２５Ｃと、平板部２６における側面２６Ｂと反対側に位置する他方面としての側面２６Ｃとは、中心軸Ｃに対して互いに線対称に設けられている。
【００１９】
接点リード２３は、発光部２１内部のフィラメント等に接続された銅線などからなる導電性の線材であって、一方の接点リード２３がバルブ２の正極又は負極を構成し、他方の接点リード２３がバルブ２の負極又は正極を構成している。これら一対の接点リード２３は、それぞれ平板部２５，２６の挿入方向先端面から突出し、一方の接点リード２３は、平板部２５の側面２５Ｂに沿って挿入方向の発光部２１側に延び、他方の接点リード２３は、平板部２６の側面２６Ｂに沿って挿入方向の発光部２１側に延びて、それぞれ側面２５Ｂ，２６Ｂの各表面に貼り付けられている。即ち、接点リード２３は、その軸径分だけ各側面２５Ｂ，２６Ｂから突出して設けられ、その軸径が接点リード２３の側面２５Ｂ，２６Ｂからの突出寸法Ｒとなっている。
【００２０】
バルブソケット３は、図１，４に示すように、バルブ２の基部２２を受け入れる挿入孔３２を有したソケット本体としてのハウジング３１と、このハウジング３１の内部に設けられてバルブ２の接点リード２３と電気的に接続される一対の端子金具としてのバスバー６（第一端子金具としての第一バスバー６Ａ、及び第二端子金具としての第二バスバー６Ｂ）と、を備える。ハウジング３１は、絶縁性を有する樹脂製一体成形品であって、全体筒状に形成され、挿入孔３２の内部には、端子金具６を保持する一対の端子保持部３３と、バルブ２の円柱部２４を挿入方向に案内して位置決めするバルブ案内部３４と、が形成されている。ハウジング３１の外面には、保護カバー４を係止するカバー係止部３５と、透過レンズ５に係合するレンズ係合部３６と、が形成されている。ハウジング３１には、保護カバー４を通して図示しない電線が配索され、この電線がハウジング３１内部でバスバー６に接続されてバルブ２に電力が供給される。このようなハウジング３１に対して、バルブ２は、図３に示す中心軸Ｃを通りＹ方向に沿った中心平面Ｐが、図４に示す挿入孔３２の中心平面Ｐ１と一致するように位置決めされて保持される。
【００２１】
保護カバー４は、絶縁性を有する樹脂製一体成形品であって、全体略半円筒状に形成されたカバー本体部４１と、このカバー本体部４１の一端部に形成されてバルブソケット３に取り付けられたバルブ２の発光部２１を覆う端面部４２と、この端面部４２よりも突出して形成された一対のフランジ部４３と、を有している。カバー本体部４１の内部には、バルブ２の発光部２１から照射された光を透過レンズ５に向かって反射する反射面が設けられるとともに、バルブソケット３のカバー係止部３５に係止される被係止部４４が形成されている。この被係止部４４は、図１の上方から下方に向かって保護カバー４をバルブソケット３に向かって押し付けることでカバー係止部３５に係止可能であるとともに、カバー本体部４１の側面に設けた貫通部４５からの操作で係止解除可能になっている。また、一対のフランジ部４３には、透過レンズ５に係合するレンズ係合部４６が形成されている。
【００２２】
透過レンズ５は、透明または半透明の樹脂製で適宜な曲面板状に形成されたレンズ本体５１と、このレンズ本体５１の内面から突出して形成された第一取付部５２及び第二取付部５３と、を有している。第一取付部５２には、バルブソケット３の後端部に沿って外方に突出する係止片５４と、バルブソケット３のレンズ係合部３６に係合可能な一対の第一係合部５５と、が形成されている。第二取付部５３には、図示しない車両の内装材に係合可能なロック部５６と、保護カバー４のレンズ係合部４６に係合可能な一対の第二係合部５７と、が形成されている。
【００２３】
以上の照明装置１は、以下のようにして組み立てられるとともに車両の内装材に取り付けられる。先ず、ハウジング３１にバスバー６を取り付けたバルブソケット３に対し、挿入孔３２に基部２２を挿入してバルブ２を保持させるとともに、バルブソケット３のカバー係止部３５に保護カバー４の被係止部４４を係止させることで、バルブ２、バルブソケット３及び保護カバー４を組み合わせて機能部を構成する。次に、バルブソケット３及び保護カバー４のレンズ係合部３６，４６を透過レンズ５の第一及び第二の係合部５５，５７にスライドさせつつ係合させることで、機能部に透過レンズ５を取り付けた照明装置１を組み立てる。このように照明装置１を組立ててから、内装材に設けた凹みなどに保護カバー４の側から挿入しつつ、内装材の取付部に透過レンズ５の係止片５４を係止させるとともにロック部５６を係合させることで、車両への照明装置１の取り付けが完了する。
【００２４】
次に、図５〜７も参照してバスバー６の構成及び作用を説明する。バスバー６は、導電性金属板を打ち抜き加工や曲げ加工を施すことにより形成され、ハウジング３１に固定されるとともに電線に接続される固定部６１と、この固定部６１から延びる延長部６２と、この延長部６２の先端部にて拡幅された拡幅部６３と、延長部６２の途中から折れ曲がって連続する一対の端子部６４（第一端子部６４Ａ及び第二端子部６４Ｂ）と、を有して構成されている。なお、本実施形態において、第一バスバー６Ａと第二バスバー６Ｂとは、同一形状を有した共通形態の部材であり、図４に示すように、第一バスバー６Ａと第二バスバー６Ｂとが互いに左右反転した状態で互いに対向する、即ち、第一バスバー６Ａと第二バスバー６Ｂとは、挿入孔３２の中心軸（バルブ２の中心軸Ｃと一致する軸）に対して互いに線対称となるようにハウジング３１に取り付けられている。
【００２５】
固定部６１は、バルブ２の挿入方向と同一方向に沿ってハウジング３１の挿入孔３２の奥側に挿入され、図４，５の上下方向（バルブ２の挿入方向と同一）に沿った長尺板状に形成されている。延長部６２は、固定部６１からクランク状に折れ曲がるとともに、挿入孔３２の開口側に延びて設けられ、この延長部６２の途中位置には、ハウジング３１内部に係止する係止片６２Ａが切り起こしによって形成されている。拡幅部６３は、延長部６２の先端（挿入孔３２の開口側先端）から挿入方向と交差して両側に延び、即ち、延長部６２と拡幅部６３とがＴ字形となるように形成されている。この拡幅部６３の両側端部には、鈍角に折り曲げられた被保持部６３Ａが形成され、これらの被保持部６３Ａがハウジング３１の端子保持部３３に保持されることで、バスバー６の移動が規制されるようになっている。
【００２６】
一対の端子部６４である第一端子部６４Ａ及び第二端子部６４Ｂは、それぞれ延長部６２から折れ曲がった位置から挿入孔３２の開口側に片持ち状に延びたばね部６５と、このばね部６５の先端側に設けられて曲面状に曲げられた接点部６６と、を有して形成されている。また、図４に示すように、第一端子部６４Ａと第二端子部６４Ｂは、挿入孔３２の中心を通りかつ一対の端子部６４の対向方向（図４の左右方向）に沿った中心平面Ｐ１を挟んで、互いに対向して設けられている。このような端子部６４は、挿入孔３２にバルブ２の基部２２が挿入されたバルブ挿入状態において、第一端子部６４Ａが平板部２５の側面２５Ｂ（又は平板部２６の側面２６Ｂ）に沿い、第二端子部６４Ｂが平板部２５の側面２５Ｃ（又は平板部２６の側面２６Ｃ）に沿って設けられるようになっている。
【００２７】
また、バルブ挿入状態において、第一端子部６４Ａの接点部６６は、バルブ２の接点リード２３に当接し、第二端子部６４Ｂの接点部６６は、バルブ２の基部２２における他方面である平板部２５の側面２５Ｃ（又は平板部２６の側面２６Ｃ）に当接する。この際、第一端子部６４Ａのばね部６５と第二端子部６４Ｂのばね部６５とは、図６に二点鎖線で示すように、互いの接点部６６を離隔させる方向に撓んで弾性変形するとともに、各接点部６６に対してバルブ２の基部２２を挟持する方向への付勢力を生じさせる。このようにばね部６５の付勢力によって第一端子部６４Ａと第二端子部６４Ｂとの間に基部２２を挟むことによって、バルブ２を保持する保持状態が構成される。
【００２８】
一方、挿入孔３２にバルブ２の基部２２が挿入されず、ばね部６５が弾性変形していない自然状態において、一対の端子部６４は、図６に実線で示すように、互いの接点部６６を接近させ、かつ互いのばね部６５同士が略平行となるような形態を備えている。ここで、固定部６１の幅方向の中心線Ｃ１と、延長部６２の幅方向の中心線Ｃ２とは、互いに偏心して設けられ、中心線Ｃ１に対して中心線Ｃ２が第一端子部６４Ａの側に偏心距離ｅ（図７参照）だけずれて設けられている。また、一対の端子部６４は、延長部６２の中心線Ｃ２に対して左右対称に設けられており、固定部６１に対する延長部６２の偏心に伴って、一対の端子部６４も中心線Ｃ１に対して偏心距離ｅだけ偏心して設けられている。また、バスバー６Ａ，６Ｂは、固定部６１の中心線Ｃ１を挿入孔３２の中心平面Ｐ１（図４参照）に一致させた状態でハウジング３１に保持され、これにより一対の端子部６４がそれぞれ中心平面Ｐ１から偏心距離ｅだけ第一端子部６４Ａ側（一方側）に偏心して設けられている。
【００２９】
以上のような一対の端子部６４の偏心距離ｅは、以下のようにバルブ２の基部２２における接点リード２３の突出寸法Ｒに応じて設定されている。具体的には、図３に示すように、基部２２における平板部２５，２６は、中心軸Ｃを通りＹ方向に沿った中心平面Ｐ（図４に示すハウジング３１における挿入孔３２の中心平面Ｐ１と一致する平面）に対し、一方面である側面２５Ｂ，２６Ｂまでの距離ｔ１と、他方面である側面２５Ｃ，２６Ｃまでの距離ｔ２と、が同一（即ち、ｔ１＝ｔ２）とされている。従って、中心平面Ｐ，Ｐ１から接点リード２３の表面までの距離は、側面２５Ｂ，２６Ｂまでの距離ｔ１に接点リード２３の突出寸法Ｒを加えた距離（即ち、ｔ１＋Ｒ）となる。従って、接点リード２３の表面から他方の側面２５Ｃ，２６Ｃまでの距離（即ち、ｔ１＋ｔ２＋Ｒ）を１／２にした位置、即ち、平板部２５，２６の厚さ寸法（Ｔ＝ｔ１＋ｔ２）の中心から側面２５Ｂ，２６Ｂの側に突出寸法Ｒの１／２（即ち、Ｒ／２）だけ偏心した位置に、一対の端子部６４の中心である中心線Ｃ２が合致するように偏心距離ｅ（即ち、ｅ＝Ｒ／２）が設定されている。
【００３０】
以上のように一対の端子部６４の偏心距離ｅが設定されたバスバー６は、図７に示すように、固定部６１の中心線Ｃ１が挿入孔３２の中心平面Ｐ１に一致された状態でハウジング３１に保持される。そして、挿入孔３２の中心平面Ｐ１に対して、中心平面Ｐを一致させてバルブ２の基部２２が挿入されると、第一端子部６４Ａの接点部６６が接点リード２３の表面に摺接しつつばね部６５が弾性変形し、第二端子部６４Ｂの接点部６６が側面２５Ｃ，２６Ｃに摺接しつつばね部６５が弾性変形することで、接点部６６間に基部２２を挟持した保持状態となる。この保持状態までの各接点部６６の移動距離は、前述のように中心平面Ｐ１（及び中心軸Ｃ，Ｃ１）からの各端子部６４の偏心距離ｅが接点リード２３の突出寸法Ｒの１／２に設定されていることから、第一端子部６４Ａと第二端子部６４Ｂとで等しくなる。
【００３１】
本実施形態によれば、第一端子部６４Ａ及び第二端子部６４Ｂにおいて、自然状態から保持状態までのばね部６５の弾性変形量を均等にすることができるので、一対のばね部６５における付勢力（ストレス）も均等化することができる。従って、第一端子部６４Ａ及び第二端子部６４Ｂにおいて、ばね部６５が不均等にへたることが防止でき、バルブ２の保持力低下を抑制することができる。また、照明装置１において、バルブ２のがたつきや脱落が防止できるとともに、バスバー６とバルブ２との電気的接続を良好に維持できることで、バルブ２の点灯不良の発生なども抑制することができる。また、バルブ２を保持したバルブソケット３を保護カバー４で覆うことで、バルブ２に対して外力が作用しにくくでき、ばね部６５への過度なストレスを抑制することができる。
【００３２】
なお、前述した実施形態は本発明の代表的な形態を示したに過ぎず、本発明は、実施形態に限定されるものではない。即ち、本発明の骨子を逸脱しない範囲で種々変形して実施することができる。
【００３３】
例えば、前記実施形態では、自動車等の車両に取り付けられる照明装置１を例示したが、本発明の照明装置は、自動車等の車両に取り付けられるものに限らず、建物等の構造物に設けられる照明装置であってもよい。さらに、前記実施形態の照明装置１は、バルブ２を保持するバルブソケット３に加えて、保護カバー４及び透過レンズ５を備えて構成されていたが、保護カバー４や透過レンズ５は必須ではなく、適宜に省略することができるとともに、保護カバー４や透過レンズ５以外の部材を備えて照明装置が構成されていてもよい。また、本発明において、バルブは、ウェッジベースバルブであるバルブ２に限らず、接点リードが基部の一方面に設けられたものであれば、各種の電球が利用可能である。また、バルブにおける発光部の種別としても、白熱灯やハロゲンランプ、水銀ランプなどの内部にフィラメント等を有したものに限らず、蛍光灯やＬＥＤランプなど任意のものが利用可能である。
【符号の説明】
【００３４】
１      照明装置
２      バルブ
３      バルブソケット
４      保護カバー
５      透過レンズ
６      バスバー（端子金具）
６Ａ    第一バスバー（第一端子金具）
６Ｂ    第二バスバー（第二端子金具）
２１    発光部
２２    基部
２３    接点リード
２５Ｂ  側面（一方面であり第一面）
２５Ｃ  側面（他方面）
２６Ｂ  側面（一方面であり第二面）
２６Ｃ  側面（他方面）
３１    ハウジング（ソケット本体）
３２    挿入孔
６１    固定部
６４    端子部
６４Ａ  第一端子部
６４Ｂ  第二端子部
６５    ばね部
６６    接点部
Ｃ      中心軸
ｅ      偏心距離
Ｐ，Ｐ１  中心平面
Ｒ      突出寸法
【図１】
0005981724.tif 000002
【図２】
0005981724.tif 000003
【図３】
0005981724.tif 000004
【図４】
0005981724.tif 000005
【図５】
0005981724.tif 000006
【図６】
0005981724.tif 000007
【図７】
0005981724.tif 000008
【図８】
0005981724.tif 000009